(57)【要約】【課題】  火災発生時に消火活動を行えることは勿論のこと、聴覚障害者が火災の発生を迅速に知ることができると共に、聴覚障害者等が安全な方向へ自主避難できるようにする。【解決手段】  屋内消火栓の消火栓ボックス１の扉に、少なくとも火災の発生及び避難方向を知らせる複数の文字や図形を表示する多数のＬＥＤランプを用いた表示部１５ｂと、火災発生の信号を受けて表示部１５ｂのＬＥＤランプを選択的に発光させて表示部１５ｂに少なくとも火災の発生及び避難方向を知らせる複数の文字や図形を選択的に表示させる制御部１５ｃとを備えたＬＥＤ表示板１５を、その表示部１５ｂが消火栓ボックス１の正面側から視認できるように取り付ける。【選択図】  図１
2010012032.tif 000002
【特許請求の範囲】
【請求項１】
屋内消火栓の消火栓ボックス（１）の扉（６）に、少なくとも火災の発生及び避難方向を知らせる複数の文字や図形を表示する多数のＬＥＤランプを用いた表示部（１５ｂ）と、火災発生の信号を受けて表示部（１５ｂ）のＬＥＤランプを選択的に発光させて表示部（１５ｂ）に少なくとも火災の発生及び避難方向を知らせる複数の文字や図形を選択的に表示させる制御部（１５ｃ）とを備えたＬＥＤ表示板（１５）を、その表示部（１５ｂ）が消火栓ボックス（１）の正面側から視認できるように取り付けたことを特徴とするＬＥＤ表示消火栓。
【請求項２】
ＬＥＤ表示板（１５）は、非常用の蓄電池（１５ｄ）を備えており、停電時に制御部（１５ｃ）が蓄電池（１５ｄ）から電力をＬＥＤランプへ供給して少なくとも火災の発生及び避難方向を知らせる複数の文字や図形を表示できる構成としたことを特徴とする請求項１に記載のＬＥＤ表示消火栓。
【請求項３】
ＬＥＤ表示板（１５）の制御部（１５ｃ）は、火災発生の信号を受けて少なくとも火災の発生及び避難方向を知らせる複数の文字や図形をスクロール表示又は一定時間ごとに切り替え表示する機能を備えていることを特徴とする請求項１又は請求項２に記載のＬＥＤ表示消火栓。
【請求項４】
消火栓ボックス（１）の扉（６）は、少なくとも一部の領域を透明に形成した強度性に優れた板ガラスから構成されており、ＬＥＤ表示板（１５）をその表示部（１５ｂ）が扉（６）の透明な領域（６ａ）に臨む状態で扉（６）の裏面側に取り付け固定したことを特徴とする請求項１、請求項２又は請求項３に記載のＬＥＤ表示消火栓。
【請求項５】
消火栓ボックス（１）の扉（６）は、ＬＥＤ表示板（１５）の表示部（１５ｂ）と同じ大きさの開口窓部（６ｂ）を形成した金属板から構成されており、ＬＥＤ表示板（１５）をその表示部（１５ｂ）が扉（６）の開口窓部（６ｂ）に臨む状態で扉（６）の裏面側に取り付け固定したことを特徴とする請求項１、請求項２又は請求項３に記載のＬＥＤ表示消火栓。
【発明の詳細な説明】
【技術分野】
【０００１】
本発明は、ホテルや旅館、病院、学校、駅、オフィスビル、マンション等の建物内の壁面に設置され、火災発生時に消火活動及び避難誘導に使用されるものであり、特に、火災発生時に聴覚障害者が火災の発生を迅速に知ることができると共に、聴覚障害者及び健常者が安全な方向へ自主避難できるようにしたＬＥＤ表示消火栓に関するものである。
【背景技術】
【０００２】
一般に、ホテルや旅館、病院等のように不特定多数の人が使用する公共施設の建物内には、火災の発生を知らせる火災警報設備や非常口等の方向を示す誘導灯、火災発生時に消火活動に使用する屋内消火栓等が夫々数個所に設置されている。
【０００３】
又、消火活動に使用する屋内消火栓には、消火作業時に二人以上で操作を行う屋内消火栓（１号消火栓）や一人で操作を行う屋内消火栓（易操作性１号消火栓及び２号消火栓）が使用されている（例えば、特許文献１、特許文献２及び特許文献３等参照）。
【０００４】
即ち、前者の屋内消火栓（１号消火栓）は、図示していないが、消火栓ボックス内に消火栓弁、ノズル及び折り畳んだ状態の消防用ホースを収納したものであり、一人がノズル及び消防用ホースの取り出しと消防用ホースの引き伸ばしを行い、又、他の一人が加圧送水装置（消火栓ポンプ）の起動及び消火栓弁の開放を行うようにしたものである。
【０００５】
又、後者の屋内消火栓（易操作性１号消火栓及び２号消火栓）は、図示していないが、消火栓ボックス内に消火弁、開閉機構付のノズル及び渦巻き状に巻き取った状態の保形ホースを収納したものであり、ノズルの取り出し、消火弁の開放、加圧送水装置（消火栓ポンプ）の起動、保形ホースの引き伸ばし、ノズルの開放を全て一人で行うようにしたものである。
【０００６】
ところで、前記各屋内消火栓には、屋内消火栓等の位置を人に明示するために常時赤色に点灯する表示灯や火災の発生を手動で知らせる押しボタン等を備えた発信機、音響により火災の発生を知らせる警報ベルが設けられている。これらは、何れも消火栓ボックスの火報扉に設けられている。
【０００７】
而して、前記各屋内消火栓に於いては、火災発生時に人が発信機の押しボタンを押すか、或いは消火栓弁を開放すると、加圧送水装置（消火栓ポンプ）が起動して消火活動が可能になり、又、表示灯が点灯から点滅に変わると共に、警報ベルが鳴り響いて不特定多数の人に火災の発生を知らせるようになっている。
【０００８】
しかし、上述した屋内消火栓は、何れも火災の発生を警報ベルの音響によって知らせるようにしているため、聴覚障害者や耳の悪い高齢者が火災の発生に全く気付かなかったり、或いは火災の発生を遅れて知ることがあり、火災発生時に逃げ遅れると云う問題があった。
又、屋内消火栓の他に建物内に設置した火災警報設備も、音響や音声によって火災を知らせるのが主流となっているため、聴覚障害者や耳の悪い高齢者が火災発生時に逃げ遅れると云う問題があった。
更に、建物内に誘導灯が設置されていても、この誘導灯はただ単に非常口や避難器具の位置を知らせるためのものであるため、火災発生時に誘導灯に従って逃げても、火災現場であったりすることがあり、安全性に於いて問題があった。
【０００９】
尚、聴覚障害者向けに屋内消火栓の表示灯の近くにフラッシュライトを設け、火災発生時にフラッシュライトを点滅させて火災の発生を知らせるようにした屋内消火栓が開発され、実用に供されている。
しかし、この屋内消火栓に於いても、説明や教育を受けていないと、フラッシュライトの点滅が何を意味するのか、判らない場合があり、音響や音声を用いた屋内消火栓や火災警報設備と同様の問題が発生することになる。
【００１０】
【特許文献１】特開２００６−２２３４４７号公報
【特許文献２】実開昭６−３９０２８号公報
【特許文献３】実開昭３−７８５６６号公報
【発明の開示】
【発明が解決しようとする課題】
【００１１】
本発明は、このような問題点に鑑みて為されたものであり、その目的は、火災発生時に消火活動を行えることは勿論のこと、聴覚障害者や耳の悪い老人が火災の発生を迅速に知ることができると共に、聴覚障害者及び健常者が安全な方向へ自主避難できるようにしたＬＥＤ表示消火栓を提供することにある。
【課題を解決するための手段】
【００１２】
本発明の請求項１のＬＥＤ表示消火栓は、消火栓ボックスの扉に、少なくとも火災の発生及び避難方向を知らせる複数の文字例えば「５Ｆが東で火災発生」、「避難してください」や図形を表示する多数のＬＥＤランプを用いた表示部と、火災発生の信号を受けて表示部のＬＥＤランプを選択的に発光させて表示部に少なくとも火災の発生及び避難方向を知らせる複数の文字や図形を選択的に表示させる制御部とを備えたＬＥＤ表示板を、その表示部が消火栓ボックスの正面側から視認できるように取り付けたことに特徴がある。
【００１３】
本発明の請求項２のＬＥＤ表示消火栓は、請求項１の発明に於いて、ＬＥＤ表示板が非常用の蓄電池を備えており、停電時に制御部が蓄電池から電力をＬＥＤランプへ供給して少なくとも火災の発生及び避難方向を知らせる複数の文字や図形を表示できる構成としたことに特徴がある。
【００１４】
本発明の請求項３のＬＥＤ表示消火栓は、請求項１又は請求項２の発明に於いて、ＬＥＤ表示板の制御部が、火災発生の信号を受けて少なくとも火災の発生及び避難方向を知らせる複数の文字や図形をスクロール表示又は一定時間ごとに切り替え表示する機能を備えていることに特徴がある。
【００１５】
本発明の請求項４のＬＥＤ表示消火栓は、請求項１、請求項２又は請求項３の発明に於いて、消火栓ボックスの扉が、少なくとも一部の領域を透明に形成した強度性に優れた板ガラスから構成されており、ＬＥＤ表示板をその表示部が扉の透明な領域に臨む状態で扉の裏面側に取り付け固定したことに特徴がある。
【００１６】
本発明の請求項５のＬＥＤ表示消火栓は、請求項１、請求項２又は請求項３の発明に於いて、消火栓ボックスの扉が、ＬＥＤ表示板の表示部と同じ大きさの開口窓部を形成した金属板から構成されており、ＬＥＤ表示板をその表示部が扉の開口窓部に臨む状態で扉の裏面側に取り付け固定したことに特徴がある。
【発明の効果】
【００１７】
本発明の請求項１のＬＥＤ表示消火栓は、消火栓ボックスの扉に少なくとも複数の文字や記号により火災の発生及び避難方向を表示するＬＥＤ表示板を取り付け、当該ＬＥＤ表示板が火災発生の信号を受けて火災の発生及び避難方向を複数の文字や記号により表示するようにしているため、聴覚障害者や耳の悪い高齢者であっても、消火栓ボックスの扉を見ることによって、火災の発生を迅速に知ることができ、速やかに自主避難することができる。
又、このＬＥＤ表示消火栓は、ＬＥＤ表示板により火災の発生等を知らせるようにしているため、夜間等の暗闇でも、明確に見ることができ、人に対して確実に注意を喚起できる。
【００１８】
本発明の請求項２乃至請求項５のＬＥＤ消火栓は、上記効果に加えて更に次のような優れた効果を奏することができる。
【００１９】
即ち、本発明の請求項２のＬＥＤ表示消火栓は、ＬＥＤ表示板が非常用の蓄電池を備え、停電時に制御部が蓄電池から電力をＬＥＤランプへ供給して火災の発生及び避難方向を知らせる文字や図形を表示できる構成としているため、火災等による停電時であっても、表示が可能となり、火災の発生を聴覚障害者等に確実に知らせることができる。
又、このＬＥＤ表示消火栓は、ＬＥＤランプを使用しているため、消費電力が少なくて済み、小型の蓄電池により長時間使用可能となる。
【００２０】
本発明の請求項３のＬＥＤ表示消火栓は、ＬＥＤ表示板の制御部が、火災発生の信号を受けて少なくとも火災の発生及び避難方向を知らせる複数の文字や図形をスクロール表示又は一定時間ごとに切り替え表示する機能を備えているため、視認性に優れたものとなり、聴覚障害者は勿論のこと、健常者も火災の発生や避難方向を迅速に認識することができ、素早い避難を行える。
【００２１】
本発明の請求項４のＬＥＤ表示消火栓は、消火栓ボックスの扉が、少なくとも一部の領域を透明に形成した強度性に優れた板ガラスから構成されており、ＬＥＤ表示板をその表示部が扉の透明な領域に臨む状態で扉の裏面側に取り付け固定する構成としているため、ＬＥＤ表示板が消火栓ボックスの前面から前方へ突出すると云うことがなく、狭い廊下等に設置しても、通行の邪魔になったり、各種荷物の搬入作業の邪魔になるのを防止することができる。
又、このＬＥＤ表示消火栓は、ＬＥＤ表示板をその表示部が扉の透明な領域に臨む状態で扉の裏面側に取り付けているため、ＬＥＤ表示板の表示部を強度性に優れた板ガラスで保護することができ、ＬＥＤ表示板の保護用の板ガラスを省略することができる。
【００２２】
本発明の請求項５のＬＥＤ消火栓は、消火栓ボックスの扉が、ＬＥＤ表示板の表示部と同じ大きさの開口窓部を形成した金属板から構成されており、ＬＥＤ表示板をその表示部が扉の開口窓部に臨む状態で扉の裏面側に取り付け固定する構成としているため、ＬＥＤ表示板が消火栓ボックスの前面から前方へ突出すると云うことがなく、狭い廊下等に設置しても、通行の邪魔になったり、各種荷物の搬入作業の邪魔になるのを防止することができる。
【発明を実施するための最良の形態】
【００２３】
以下、本発明の実施の形態を図面に基づいて詳細に説明する。
図１乃至図４は本発明の実施の形態に係るＬＥＤ表示消火栓を示し、当該ＬＥＤ表示消火栓は、ホテルや旅館、学校、病院、駅、オフィスビル、マンション等の建物内に設置され、火災発生時に消火活動及び避難誘導に使用されるものであり、特に、火災発生時に聴覚障害者が火災の発生を迅速に知ることができると共に、聴覚障害者及び健常者が安全な方向へ自主避難できるようにしたものである。
【００２４】
即ち、前記ＬＥＤ表示消火栓は、図１及び図２に示す如く、建物の廊下等の壁面に埋め込まれる開閉可能な消火栓ボックス１と、消火栓ボックス１内に配設された消火栓ポンプ起動スイッチ（図示省略）付きの消火栓弁１０と、基端部が消火栓弁１０に接続された長尺状の保形ホース１１と、保形ホース１１の先端部に接続された開閉機構付きのノズル１２と、保形ホース１１を渦巻き状に巻き取った状態で且つ引き出し可能に消火栓ボックス１内に保持する一対の回転自在なローラ１３と、消火栓ボックス１内に配設された放水口を形成する放水弁１４と、消火栓ボックス１の扉（主扉６）に取り付けられ、火災の発生や避難方向等を文字や図形により表示するＬＥＤ表示板１５と、消火栓ボックス１内に収納されたＡＥＤ１６（自動体外式除細動器）等から成る易操作性１号消火栓に構成されており、火災発生時に消火活動に用いられると共に、ＬＥＤ表示板１５により火災の発生及び避難方向を聴覚障害者や健常者に知らせるようにしたものである。
【００２５】
具体的には、前記消火栓ボックス１は、図１乃至図３に示す如く、壁面に埋め込まれる前面が開放されたボックス本体２と、ボックス本体２の開口周縁部に取り付けた枠体３と、ボックス本体２内の空間をホース収納部Ｓ１、警報機器収納部Ｓ２、放水弁収納部Ｓ３及びＡＥＤ収納部Ｓ４に夫々区画する複数の仕切壁４と、枠体３に蝶番５を介して回動自在に取り付けられ、ボックス本体２のホース収納部Ｓ１を開閉する主扉６と、ボックス本体２の警報機器収納部Ｓ２を開閉可能に覆う火報扉７と、枠体３に蝶番５を介して回動自在に取り付けられ、ボックス本体２の放水弁収納部Ｓ３を開閉する放水口用扉８と、枠体３に蝶番５を介して回動自在に取り付けられ、ボックス本体２のＡＥＤ収納部Ｓ４を開閉するＡＥＤ用扉９とから構成されている。
又、消火栓ボックス１の主扉６、放水口用扉８及びＡＥＤ用扉９は、何れも強度性に優れた模様入りの板ガラス（この例では、エッチングによりストライプの模様を入れた板状の強化ガラス）により形成されており、プッシュ式マグネットキャッチ１７により閉じた状態に保持されている。
更に、主扉６の略中央部には、ＬＥＤ表示板１５の表示部１５ｂが臨む矩形状の透明な領域６ａが形成され、又、ＡＥＤ用扉９には、ＡＥＤ１６の設置場所を示す文字及びマークを表示した矩形状の透明な領域９ａが形成されている。
【００２６】
そして、前記消火栓ボックス１の火報扉７には、火災の発生を通報すると共に、消火栓ポンプ２６を起動するスイッチを兼用する押しボタンを備えた発信機１８と、発信機１８やＬＥＤ表示消火栓の位置を人に明示するために常時赤色に点灯している表示灯１９と、火災の発生を音響孔２０を通して音により知らせる警報ベル（図示省略）と、ＡＥＤ１６の使用方法を表示する液晶ディスプレイ２１とが夫々設けられている。
【００２７】
前記ＬＥＤ表示板１５は、図５に示す如く、正面側中央部に開口１５ａ′を有する長尺板状のケース１５ａと、ケース１５ａ内に開口１５ａ′に望む状態で配設され、プリント配線基板の表面に多数のＬＥＤランプをドットマトリックス状に配置して文字や図形、記号をカラー表示（又は白黒表示）する表示部１５ｂと、ケース１５ａ内に配設され、火災発生の信号を受けて表示部１５ｂのＬＥＤを選択的に発光させて表示部１５ｂに少なくとも火災の発生及び避難方向を知らせる複数の文字（例えば、「火災」、「５Ｆ東で火災発生」、「避難してください」等）や図形を選択的に表示させる制御部１５ｃと、ケース１５ａ内に配設され、停電時に制御部１５ｃからの制御信号によりＬＥＤランプへ電力を供給する非常用の蓄電池１５ｄとを備えている。
【００２８】
又、ＬＥＤ表示板１５は、通常時の作動電源に商用電源を使用し、制御部１５ｃが商用電源からの電力を表示部１５ｂへ供給して表示部１５ｂのＬＥＤランプを発光させるようになっており、火災等による停電時に商用電源が電力の供給を停止すると、制御部１５ｃが作動電源を商用電源から蓄電池１５ｄに自動的に切り換え、蓄電池１５ｄからの電力を表示部１５ｂへ供給して表示部１５ｂのＬＥＤランプを発光させるようになっている。
更に、ＬＥＤ表示板１５は、停電が回復すると、制御部１５ｃが作動電源を蓄電池１５ｄから商用電源へ自動的に切り換え、商用電源からの電力を表示部１５ｂへ供給して表示部１５ｂのＬＥＤランプを発光させるようになっている。尚、蓄電池１５ｄは、商用電源によって充電されている。
【００２９】
そして、前記ＬＥＤ表示板１５は、その表示部１５ｂが主扉６の透明な領域６ａに臨む状態で主扉６の裏面側に複数のビス２１により取り付け固定されており、平常時には、制御部１５ｃからの信号により表示部１５ｂが「消火栓」の文字や消火栓を製造・販売している会社の「社名」や「ロゴマーク」等を表示する。
又、ＬＥＤ表示板１５は、火災発生時には、発信機１８からの信号や建物内に設置した火災報知器からの信号、消火栓ポンプ２６の起動信号を受けて火災受信機２４が作動し、この火災受信機２４から火災発生信号が制御部１５ｃへ入力されることにより、避難方向が決定されると共に、制御部１５ｃからの制御信号により、表示部１５ｂが「消火栓」の文字、「火災」の文字、避難方向を示す「矢印」等の図形をスクロール表示又は一定時間ごとに切り替え表示するようになっている。
【００３０】
このように構成されたＬＥＤ表示消火栓は、平常時にはＬＥＤ表示板１５の表示部１５ｂが「消火栓」の文字を赤色で表示しており、常時赤色に点灯している表示灯１９とＬＥＤ表示板１５の表示部１５ｂとによりＬＥＤ表示消火栓及び発信機１８の位置を人に明示している。
尚、平常時にＬＥＤ表示板１５の表示部１５ｂが消火栓を製造・販売している会社の「社名」や「ロゴマーク」等を表示させた場合には、会社のイメージアップや宣伝になる。
【００３１】
前記ＬＥＤ表示消火栓は、火災発生時に人が発信機１８の押しボタンを押すか、又は消火栓弁１０を開放するか、或いは建物の廊下や室内の天井に設置した火災感知器２３（熱感知器、煙感知器又は炎感知器）が火災を感知すると、図５に示すように火災発生の信号が建物の防災センターや管理室等に設置されている火災受信機２４に送られ、火災受信機２４からの信号がポンプ制御盤２５に送られてポンプ制御盤２５が消火栓ポンプ２６を起動し、又、火災受信機２４からの信号をＬＥＤ表示板１５の制御部１５ｃが受け、ＬＥＤ表示板１５の表示部１５ｂが図４（Ａ）〜（Ｃ）に示すように「消火栓」の文字、「火災」の文字、避難方向を示す「矢印」等の図形をスクロール表示又は一定時間ごとに切り替え表示する。
その結果、聴覚障害者や耳の悪い高齢者であっても、消火栓ボックス１の扉（主扉６）を見ることによって、火災の発生を迅速に知ることができ、速やかに自主避難することができる。又、このＬＥＤ表示消火栓は、ＬＥＤ表示の他に、警報ベルによっても不特定多数の人に火災の発生を知らせることは勿論である。
【００３２】
前記ＬＥＤ表示消火栓は、ＬＥＤ表示板１５の表示部１５ｂに火災の発生及び避難方向を知らせる複数の文字や図形をスクロール表示又は一定時間ごとに切り替え表示しているため、視認性に優れたものとなり、聴覚障害者は勿論のこと、健常者も火災の発生や避難方向を迅速に認識することができる。
又、ＬＥＤ表示消火栓は、ＬＥＤ表示板１５を使用しているため、夜間等の暗闇でも、明確に見ることができ、人に対して確実に注意を喚起できる。
更に、ＬＥＤ表示消火栓は、ＬＥＤ表示板１５が非常用の蓄電池１５ｄを備えているため、火災等による停電時であっても、表示が可能となり、火災の発生を聴覚障害者等に確実に知らせることができる。
加えて、ＬＥＤ表示消火栓は、火災感知器２３にＲ型の火災感知器２３（火災感知器２３が個々にアドレスを有し、火災感知時に火災送信に加えてアドレスデータの送信を行う火災感知器２３）を使用すると、火災の場所を特定することができるので、火災受信機２４からの信号によりＬＥＤ表示板１５の表示部１５ｂに表示される「避難方向」を火災の場所から遠ざかる方向とすることができ、火災発生時に避難者を火災現場から遠ざかる位置へ確実且つ良好に誘導することができる。
そのうえ、ＬＥＤ表示消火栓は、ＡＥＤ１６を収納しているため、消火活動や避難誘導の他に、ＡＥＤ１６を使用することによって、突然心臓が止まって倒れてしまった人を蘇生させることができるうえ、新たにＡＥＤ１６設置用のボックスを新たに設置したりする必要もない。
【００３３】
図６は本発明の実施の形態に係るＬＥＤ表示消火栓を示し、当該ＬＥＤ表示消火栓は、主扉６、放水口用扉８、ＡＥＤ用扉９を夫々金属板により形成すると共に、主扉６及びＡＥＤ用扉９に透明な強化ガラスを嵌め込んだ開口窓部６ｂ，９ｂを形成し、ＬＥＤ表示板１５をその表示部１５ｂが主扉６の開口窓部６ｂに臨む状態で主扉６の裏面側に取り付け固定したものである。
このＬＥＤ表示消火栓は、主扉６、放水口用扉８、ＡＥＤ用扉９を金属板としたこと以外は、図１に示すＬＥＤ表示消火栓と同一形状及び同一構造に構成されており、図１に示すＬＥＤ表示消火栓と同じ部位・部材には同一の参照番号を付し、その詳細な説明を省略する。
このＬＥＤ表示消火栓も、図１に示すＬＥＤ表示消火栓と同様の作用効果を奏することができる。
【００３４】
尚、上記の実施の形態に於いては、ＬＥＤ表示板１５を一人操作が可能な保形ホース１１を用いた易操作性１号消火栓の消火栓ボックス１の扉（主扉６）に取り付けるようにしたが、他の実施の形態に於いては、ＬＥＤ表示板１５を１号消火栓や２号消火栓の消火栓ボックス１の扉に取り付けるようにしても良い。
【００３５】
上記の実施の形態に於いては、ＬＥＤ表示板１５を消火栓ボックス１の主扉６に取り付け固定するようにしたが、他の実施の形態に於いては、ＬＥＤ表示板１５を火報扉７や放水口用扉８、ＡＥＤ用扉９に取り付け固定するようにしても良い。
【００３６】
上記の実施の形態に於いては、ＬＥＤ表示板１５を消火栓ボックス１の主扉６の裏面側に取り付け固定するようにしたが、他の実施の形態に於いては、ＬＥＤ表示板１５を主扉６の表面側に取り付け固定するようにしても良い。
【００３７】
上記の実施の形態に於いては、消火栓ボックス１の主扉６、放水口用扉８及びＡＥＤ用扉９を模様入りの強化ガラスにより形成し、主扉６及びＡＥＤ用扉９の一部に透明な領域６ａ，９ａを形成するようにしたが、他の実施の形態に於いては、主扉６、放水口用扉８及びＡＥＤ用扉９を全て透明な強化ガラスにより形成するようにしても良い。
【図面の簡単な説明】
【００３８】
【図１】本発明の実施の形態に係るＬＥＤ表示消火栓の正面図である。
【図２】ＬＥＤ表示消火栓の消火栓ボックスの扉及び枠体を省略した状態の正面図である。
【図３】ＬＥＤ表示消火栓の一部を省略した概略横断面図である。
【図４】ＬＥＤ表示消火栓の要部を示し、（Ａ）はＬＥＤ表示板の表示部に「消火栓」の文字を、（Ｂ）はＬＥＤ表示板の表示部に「火災」の文字を、（Ｃ）はＬＥＤ表示板の表示部に避難方向を示す矢印と図形を夫々表示した状態の主扉の要部の正面図である。
【図５】ＬＥＤ表示消火栓を用いた消火設備の一例を示す概略ブロック図である。
【図６】本発明の他の実施の形態に係るＬＥＤ表示消火栓の正面図である。
【符号の説明】
【００３９】
１は消火栓ボックス、６は主扉、６ａは透明な領域、６ｂは開口窓部、１５はＬＥＤ表示板、１５ｂは表示部、１５ｃは制御部、１５ｄは蓄電池。
【図１】
2010012032.tif 000003
【図２】
2010012032.tif 000004
【図３】
2010012032.tif 000005
【図４】
2010012032.tif 000006
【図５】
2010012032.tif 000007
【図６】
2010012032.tif 000008